(57)【要約】      （修正有）【課題】プッシュキーのキートップに出現する符号、又は図案などを任意に変更できるとともに、光源から照射する光線を通過させるために好ましい構造を具え、かつ簡易で堅牢な構造を具える入力装置のプッシュキー構造を提供する。【解決手段】光透過性の材質によってなるプッシュキー本体１と、プッシュキー本体１を設けるハウジング２と、上面がプッシュキー本体１の底面の周縁に当接してプッシュキー本体１の上下方向への往復運動に供するとともに、底面に少なくとも１以上の凸起部を一体に形成する弾性支持部３と、弾性支持部３の下に位置し、かつ凸起部が選択的に当接し、プッシュキー本体１の動作を検知する検知モジュール５と、検知モジュール５の下に位置し、かつプッシュキー本体１に対応する位置に、プッシュキー本体１のキートップから視認できるように画像を表示する表示手段６と、を含んでなる。【選択図】図２
0003196792.tif 000002
【実用新案登録請求の範囲】
【請求項１】
光透過性の材質によってなるプッシュキー本体と、
該プッシュキー本体を設けるハウジングと、
上面が該プッシュキー本体の底面の周縁に当接して該プッシュキー本体の上下方向への往復運動に供するとともに、底面に少なくとも１以上の凸起部を一体に形成する弾性支持部と、
該弾性支持部の下に位置し、かつ該凸起部が選択的に当接し、該プッシュキー本体の動作を検知する検知モジュールと、
該検知モジュールの下に位置し、かつ該プッシュキー本体に対応する位置に、該プッシュキー本体のキートップから視認できるように画像を表示する表示手段と、を含んでなることを特徴とする入力装置のプッシュキー構造。
【請求項２】
前記検知モジュールと表示手段とが電気的に接続してタッチパネルを構成することを特徴とする請求項１に記載の入力装置のプッシュキー構造。
【請求項３】
前記表示手段がＴＦＴか、ＬＣＤか、ＯＣＬＥＤか、マトリクスＬＥＤの内の任意の一つであって、かつ情報表示部を具えるとともに、該検知モジュールに該凸起部に対応する複数の接触部を形成することを特徴とする請求項１に記載の入力装置のプッシュキー構造。
【考案の詳細な説明】
【技術分野】
【０００１】
この考案は入力装置に関し、特に入力装置を構成するプッシュキーのキートップに出現する符号、又は図案などを任意に変換できるプッシュキー構造に関する。
【背景技術】
【０００２】
従来の入力装置のプッシュキーは、いずれも一つのキーに対して一つの機能を具える。即ち、キートップに印字される符号などにしたがって該プッシュキーを押下することによって、該符号に代表される機能が得られる。凡そコンピューターのキーボード、テレビのリモートコントローラ、もしくはその他通信装置など、いずれもキートップの符号などによって機能が表示されている。仮にマルチ機能のキーであったとしても、プッシュキーの操作において長押しするか、またはプッシュキーを押下する回数にしたがって異なる動作が得られるように設定したものにすぎず、厳密に言えば、やはり一つのキーに対して一つの機能を具えるものといえる。
【０００３】
また、キートップの符号を見やすくするために、発光機能を有する入力装置が開発された。従来の発光機能を有するキーボードなどの入力装置は、底部にバックライトモジュール、もしくは光源モジュールを具え、かつプッシュキーのケースが光透過性を有する材質によってなり、底部に設けた光源から照射する光線がケースを通過して、表面が発光する効果が得られる。
【０００４】
然しながら、上述する入力装置のプッシュキーは、なおも欠点を有し、改善が望まれる。即ち、プッシュキーのケースが光透過性を有する材質によってなることから、光源から照射する光線を通過させ、プッシュキーを発光させるという効果が得られるが、ほとんどがキースイッチの接点をキーの真下に設けているため、光源から照射される光線の反射という点において理想的な構造とは言えない。このため、ケースに光源を直接連結し、接点となる弾性部材をその下に設ける構造が開発された。係る構造はプッシュキーにおいて光源の発光を完全に表現することができるが、但し、光源モジュールの下方において支持する力に欠ける。このためキースイッチの接触不良、もしくは光源モジュールの損壊が容易に発生する。
【考案の概要】
【考案が解決しようとする課題】
【０００５】
この考案は、プッシュキーのキートップに出現する符号、又は図案などを任意に変更できるとともに、光源から照射する光線を通過させるために好ましい構造を具え、かつ簡易で堅牢な構造を具える入力装置のプッシュキー構造を提供することを課題とする。
【課題を解決するための手段】
【０００６】
そこで、本考案者は従来のプッシュキー構造に見られる欠点に鑑み鋭意研究を重ねた結果、光透過性の材質によってなるプッシュキー本体と、該プッシュキー本体を設けるハウジングと、上面が該プッシュキー本体の底面の周縁に当接して該プッシュキー本体の上下方向への往復運動に供するとともに、底面に少なくとも１以上の凸起部を一体に形成する弾性支持部と、該弾性支持部の下に位置し、かつ該凸起部が選択的に当接し、該プッシュキー本体の動作を検知する検知モジュールと、該検知モジュールの下に位置し、かつ該プッシュキー本体に対応する位置に、該プッシュキー本体のキートップから視認できるように画像を表示する表示手段と、を含んでなるプッシュキー構造によって課題を解決でできる点に着眼し、係る知見に基づいて本考案を完成させた。
【０００７】
以下この考案について説明する。請求項１に記載する入力装置のプッシュキー構造は、光透過性の材質によってなるプッシュキー本体と、
該プッシュキー本体を設けるハウジングと、
上面が該プッシュキー本体の底面の周縁に当接して該プッシュキー本体の上下方向への往復運動に供するとともに、底面に少なくとも１以上の凸起部を一体に形成する弾性支持部と、
該弾性支持部の下に位置し、かつ該凸起部が選択的に当接し、該プッシュキー本体の動作を検知する検知モジュールと、
該検知モジュールの下に位置し、かつ該プッシュキー本体に対応する位置に、該プッシュキー本体のキートップから視認できるように画像を表示する表示手段と、を含んでなる。
【０００８】
請求項２に記載する入力装置のプッシュキー構造は、請求項１における検知モジュールと表示手段とが電気的に接続してタッチパネルを構成する。
【０００９】
請求項３に記載する入力装置のプッシュキー構造は、請求項１における表示手段がＴＦＴか、ＬＣＤか、ＯＣＬＥＤか、マトリクスＬＥＤの内の任意の一つであって、かつ情報表示部を具えるとともに、該検知モジュールに該凸起部に対応する複数の接触部を形成する。
【図面の簡単な説明】
【００１０】
【図１】この考案によるプッシュキー構造を具える入力装置を示した斜視図である。
【図２】図１に開示する入力装置の分解図である。
【図２Ａ】この考案における検知モジュールを示した斜視図である。
【図３】図１に開示する入力装置の局部拡大断面図である。
【図４】この考案におけるプッシュキーの構造を示した説明図である。
【図５】この考案によるプッシュキー構造を具える入力装置の使用態様を示した説明図である。
【図６】この考案によるプッシュキー構造を具える入力装置の他の使用態様を示した説明図である。
【図７】他の実施の形態によるプッシュキー構造を具える入力装置を示した分解図である。
【考案を実施するための形態】
【００１１】
この考案は、プッシュキーのキートップに出現する符号、又は図案などを任意に変更できるとともに、光源から照射する光線を通過させるために好ましい構造を具え、かつ簡易で堅牢な構造の入力装置のプッシュキー構造を提供するものであって、光透過性の材質によってなるプッシュキー本体と、該プッシュキー本体を設けるハウジングと、上面が該プッシュキー本体の底面の周縁に当接して該プッシュキー本体の上下方向への往復運動に供するとともに、底面に少なくとも１以上の凸起部を一体に形成する弾性支持部と、該弾性支持部の下に位置し、かつ該凸起部が選択的に当接し、該プッシュキー本体の動作を検知する検知モジュールと、該検知モジュールの下に位置し、かつ該プッシュキー本体に対応する位置に、該プッシュキー本体のキートップから視認できるように画像を表示する表示手段と、を含んでなる。係る入力装置のプッシュキー構造の特徴を説明するために、具体的な実施例を挙げ、図面を参照にして以下に詳述する。
【００１２】
図１、図２、図２Ａ及び図３に開示するように、この考案による入力装置のプッシュキー構造は、ベースハウジング２０とフレーム２１とによってなるハウジング２と、該ハウジングに内設するプッシュキー本体１と、弾性支持部３と、検知モジュールと、表示手段６とを含んでなる。
【００１３】
プッシュキー本体１は光透過性の材質によってなる。
【００１４】
弾性支持部３は、上面がプッシュキー本体１の底面の周縁に当接してプッシュキー本体１の上下方向への往復運動に供する。また、底面には少なくとも１以上の凸起部３１を一体に形成する。
【００１５】
検知モジュール５は、弾性支持部３の下に位置し、プッシュキー本体１の動作を検知する。また、弾性支持部３の凸起部３１に対応するそれぞれの位置に、凸起部３１が選択的に当接する接触部５１を形成する。
【００１６】
表示手段６はＴＦＴか、ＬＣＤか、ＯＣＬＥＤか、マトリクスＬＥＤの内の任意の一つであって、検知モジュール５の下に位置し、それぞれのプッシュキー本体１に対応する位置に、プッシュキー本体１のキートップから視認できるように画像を表示するとともに、一端を情報表示部６１とする。
【００１７】
上述する構造を具えるこの考案の入力装置のプッシュキーは、プッシュキー本体１が光透過性の材質によってなるため、キートップから最下層の表示手段６に表示された画像を視認することができる。また、プッシュキー本体１と表示手段６との間に介在する弾性支持部３と、検知モジュール５とは、いずれも格子状を呈し、プッシュキー本体１の底面と表示手段６との間が遮蔽されていないので、表示装置に表示される画像の視認に影響を与えるこがなく、一定の角度の範囲内で表示装置に表示される画像を視認できる。さらに、表示手段を最下層に設けたことによって、長時間にわたる使用、もしくは支持部材の支持力の不足などの原因で表示装置の損壊を招くことはない。
【００１８】
プッシュキー本体１を押下した場合、プッシュキー本体１はハウジング２を構成するフレーム２１よって制限されているため、位置がずれることがない。また、プッシュキー本体１の下に位置する弾性支持部３がプッシュキー本体１の底面の周縁に対応し、かつ弾性支持部３の底面の周縁に凸起部３１が形成されているため、凸起部３１の任意の一つが押し圧を受けると、検知モジュール５の接触部５１を押し圧し、表示手段６に表示される文字、符号、もしくは動画などの代表する機能が作動するとともに、情報表示部６１に情報が表示される。
【００１９】
プッシュキー本体１への押し圧が開放されると、弾性支持部３の付勢力によってプッシュキー本体１が本来の位置に復帰し、凸起部３１が検知モジュール５から離れる。
【００２０】
プッシュキー本体１に表示される画像は、表示手段６の初期設定に基づいて、表示される文字、符号、図案、動画などが選択的に変更される。例えば、電話を表わす図案が表示されたプッシュキー本体１を押下すると、表示手段６がそれぞれの対応するプッシュキー本体１の表示を数字、もしくは関連する機能を表わす画像に変更する。よって、従来のプッシュキーに見られるように、単一のプッシュキーがキートップに印字される符号などによって代表される単一の機能を作動させるために用いられることはなく、プッシュキーをより多様化することができる。
【００２１】
また、上述するように入力装置を構成するそれぞれの部材がハウジング２内に収納され、底面の表示手段６を保護する構造になっている。よってこの考案による入力装置は、幅広い応用性を具え、実用的である。
【００２２】
図７に他の実施の形態による入力装置を開示する。他の実施の形態は、昨今のタッチパネルの普及に鑑みて、図面に開示するようにタッチパネル７ａを用いる。即ち、本来の実施の形態における検知モジュール５ａ及び表示手段６ａの２層を、両者が電気的に接続したタッチパネル７ａに取り換え、かつ弾性支持部３ａは、プッシュキー本体１とハウジング２の特性に合わせて、軟性の材質によって形成する。係る構成によっても、同様にこの考案による入力装置の効果が得られ、かつタッチパネル７ａに損傷を与えることがない。
【００２３】
この考案による入力装置は、プッシュキーを通じて表示される符号、文字、図案、動画などを任意に変更することができる。また、表示される符号、文字、図案、動画などは、視認を妨げる如何なる干渉も存在せず、完全に表示することができる。また、表示手段６が最下層に位置し、不適当な使用によって損壊が発生することが少なくなる。さらに、構造が簡易で製造コストを節減でき、かつ表示手段６の耐久性を高め、使用寿命を延ばすことができ、プッシュキーの応用領域と応用性をさらに拡張することができる。
【符号の説明】
【００２４】
１         プッシュキー本体
１ａ       プッシュキー本体
２         ハウジング
２０       ベースハウジング
２１       フレーム
３         弾性支持部
３ａ       弾性支持部
３１       凸起部
５         検知モジュール
５ａ       検知モジュール
５１       接触部
６         表示手段
６ａ       表示手段
６１       情報表示部
７ａ       タッチパネル
【図１】
0003196792.tif 000003
【図２】
0003196792.tif 000004
【図２Ａ】
0003196792.tif 000005
【図３】
0003196792.tif 000006
【図４】
0003196792.tif 000007
【図５】
0003196792.tif 000008
【図６】
0003196792.tif 000009
【図７】
0003196792.tif 000010